(57)【要約】【課題】基材と表面材とを積層させた構造の洗い場床において、排水口部周りの排水性を向上させ、排水口部周りに残水（水溜まり）が発生することを抑制する洗い場床を提供する。【解決手段】凹状の排水口部５を有する基材１と、基材１より浴室内側に積層され、表面に滑り止め用の複数の凸部１１と、これら凸部１１の間であって排水口部５に連続するように形成された溝部１２とを有する表面材２と、を備えた浴室用の洗い場床であって、表面材２の排水口部５側の端部１４は、排水口部５における開口６の外周に形成された立ち面７から、排水口部５とは離れた側にずらした位置に積層されている。【選択図】図４
2010063645.tif 000002
【特許請求の範囲】
【請求項１】
底部に開口が形成された凹状の排水口部を有する基材と、
前記基材より浴室内側に積層され、表面に滑り止め用の複数の凸部と、これら凸部の間であって前記排水口部に連続するように形成された溝部とを有する表面材と、
を備えた浴室用の洗い場床であって、
前記表面材の前記排水口部側の端部は、前記排水口部における前記開口の外周に形成された立ち面から、前記排水口部とは離れた側にずらした位置に積層されている
ことを特徴とする洗い場床。
【請求項２】
前記表面材の前記排水口部側の端部は、傾斜面状または曲面状に形成されていることを特徴とする請求項１記載の洗い場床。
【請求項３】
前記排水口部における前記立ち面の上端と、前記表面材の前記排水口部側の端部との間には、コーキング剤が充填されたコーキング部が設けられ、
前記コーキング部は、前記表面材の前記排水口部側の端部の傾斜面または曲面と連続するように傾斜面状または曲面状に形成されていることを特徴とする請求項２記載の洗い場床。
【請求項４】
前記コーキング部には、前記表面材の前記溝部と連続する切り欠き溝が形成されていることを特徴とする請求項３記載の洗い場床。
【発明の詳細な説明】
【技術分野】
【０００１】
本発明は、浴室の洗い場床に関し、特に基材と表面材とを積層した構造を有する洗い場床に関する。
【背景技術】
【０００２】
一般に、ユニットバスの洗い場床は、ＦＲＰ（Fiber Reinforced Plastic）からなる１層の構造体で構成されていた。また、特許文献１には、基材に対して表面材を積層した複層構造の洗い場床が開示されている。
【特許文献１】特開２００２−１７５９８号公報
【発明の開示】
【発明が解決しようとする課題】
【０００３】
基材に対して表面材を積層させた構造の場合、表面材における排水口側に位置する端部と、排水口立ち面上端との水平方向位置を一致させると、表面材表面上を排水口に向けて流れてきた水が表面材端部から排水口へと流下しづらく、排水口周りの排水性が悪化し、排水口周りに残水（水溜まり）が生じやすいといった問題があった。
【０００４】
本発明は上述の問題に鑑みてなされ、基材と表面材とを積層させた構造の洗い場床において、排水口部周りの排水性を向上させ、排水口部周りに残水（水溜まり）が発生することを抑制する洗い場床を提供することを目的とする。
【課題を解決するための手段】
【０００５】
本発明の一態様によれば、底部に開口が形成された凹状の排水口部を有する基材と、前記基材より浴室内側に積層され、表面に滑り止め用の複数の凸部と、これら凸部の間であって前記排水口部に連続するように形成された溝部とを有する表面材と、を備えた浴室用の洗い場床であって、前記表面材の前記排水口部側の端部は、前記排水口部における前記開口の外周に形成された立ち面から、前記排水口部とは離れた側にずらした位置に積層されていることを特徴とする洗い場床が提供される。
【発明の効果】
【０００６】
本発明によれば、基材と表面材とを積層させた構造の洗い場床において、排水口部周りの排水性を向上させ、排水口部周りに残水（水溜まり）が発生することを抑制する洗い場床が提供される。
【発明を実施するための最良の形態】
【０００７】
以下、図面を参照し、本発明の実施形態について説明する。
【０００８】
図１に示すように、本実施形態に係る洗い場床は基材１と表面材２とを備え、表面材２は基材１よりも浴室内側に積層される。
【０００９】
基材１は、浴室外に湯水を漏出させない防水性、および浴室壁パネル、天井パネル、風呂椅子、洗面器などの静荷重や、使用者の動荷重を受けても撓んだり破損しない十分な強度を有し、例えば、ＦＲＰ（Fiber Reinforced Plastic）等の熱硬化性樹脂から形成されている。あるいは、基材１は、ポリプロピレン、ポリエチレン等の熱可塑性樹脂に補強を施したものから形成されていてもよい。
【００１０】
基材１は、全体としては浅底のパン形状に形成されている。基材１は、排水口部５と、排水口部５の上端に向かって下り傾斜面となっている表面部４と、表面部４の最外縁部で上方に立ち上がり形成された水返し壁部３とを有する。
【００１１】
排水口部５は、底部に形成され図示しない排水トラップに通じる開口６と、この開口６の外周に筒状に立ち上がり形成された立ち面７とを有する凹状に形成されている。
【００１２】
表面材２の表面は浴室内に露出し、使用者が触れたり、湯水にさらされる面となる。したがって、表面材２は、耐水性、耐薬品性、耐摩耗性、耐衝撃性など、浴室の一般的な使用に際し洗い場床表面に要求される基本性能を満足する材料から形成されている。そのような表面材２の材料としては、基材１に用いるＦＲＰよりも薄く且つ軟質なＦＲＰ、ＰＶＣ（塩化ビニル）、ポリプロピレン、ポリエチレン、ウレタン樹脂、ポリエステル樹脂、スチレン・ポリエステル・オレフィン・アクリル系の各種エラストマー、ＥＶＡ、ＥＰＤＭ、シリコンゴムなどのゴム（硬質）系、あるいはこれらを十分な耐久性が期待できる程度の硬さに調整したもの、あるいはこれらをベースに充填材や強化材を加えた複合材料などが、一例として挙げられる。
【００１３】
表面材２は、基材１における表面部４上に積層される。表面材２が基材１の表面部４上に積層された状態で排水口部５が表面材２から露出するように、表面材２には切り欠き１３が形成されている。
【００１４】
基材１の表面部４には排水口部５が最も低くなるように排水勾配がつけられ、この表面部４上に表面材２が積層されると、表面部４の排水勾配に沿った排水勾配が表面材２にも形成される。表面材２上の水（湯も含む）はその排水勾配に沿って流れ、排水口部５に集水される。さらに、本実施形態では、排水勾配と合わせて排水を促進するための排水溝を表面材２の表面に設けている。
【００１５】
図２に示すように、表面材２の表面には、複数の凸部１１と複数の溝部１２とが形成されている。なお、図２には表面材２の表面の一部分のみを示すが、凸部１１及び溝部１２は表面材２の表面全体にわたって形成されている。
【００１６】
凸部１１は滑り止めの機能を担い、例えば図２に示す例では凸部１１の表面を波形に形成することで、さらに滑り止め効果を高めている。
【００１７】
溝部１２は、凸部１１の周囲を囲むように例えば格子状に複数形成され、それぞれの溝部１２は途切れることなく連続している。これら溝部１２を介して、凸部１１の間に流れ込んだ水を排水口部５まで途切れることなくゆっくりと排水することが可能となっている。なお、溝部１２の平面レイアウトは格子状に限らず、凸部１１の間に流れ込んだ水を排水口部５まで途切れることなくゆっくりと排水することが可能なレイアウトであればよい。
【００１８】
以上説明した基材１と表面材２との積層構造を得るにあたっては、それらを一体に熱間成型することにより相互に溶着固定させてもよいし（インサート及びラミネート成形）、基材１の成型加工後に、その表面部４に対して表面材２を例えば両面テープ等の接着剤を用いて貼り付けてもよい。
【００１９】
次に、図３は、本発明の実施形態に係る洗い場床における排水口部５が設けられた部分の拡大斜視図を示す。  
図４は図３におけるＡ−Ａ断面図を示し、図５は図３におけるＢ−Ｂ断面図（溝部１２に沿って断面した図）を示す。
【００２０】
図４、５に示すように、表面材２が積層された基材１の表面部４から排水口部５の立ち面７の上端７ａへと続くコーナー部分には段差が形成され、ここにはコーキング剤３２が充填されたコーキング部３１が設けられる。
【００２１】
表面材２において排水口部５を囲むようにして排水口部５側に形成された端部１４は、排水口部５の立ち面７の上端７ａから、排水口部５の径方向の中心から離れた側にずれて位置している。排水口部５の立ち面７の上端７ａに対する、表面材２の端部１４のずれ量（オフセット量）ａは、例えば１〜２ｍｍほどである。
【００２２】
表面材２の端部１４は、基材１の表面部４上からコーキング部３１にまでわずかにはみ出し、コーキング部３１の一部を上から覆っている。コーキング部３１には、防水性を有する例えばシリコン等のコーキング剤３２が充填される。これにより、表面材２における排水口部５側の端部１４と、その下の基材１との間の隙間が水密に封止され、表面材２と基材１との層間に湯水が浸入することを防げる。
【００２３】
また、基材１の表面部４におけるコーキング部３１近傍には、両面テープ３３が貼着され、この両面テープ３３によって表面材２の端部１４近傍と基材１とが接着固定されている。この両面テープ３３で接着された部分よりもさらに排水口部５から離れた部分の表面部４には接着剤充填用の溝が形成され、その溝内に接着剤３４が充填され表面材２と基材１とを接着固定している。
【００２４】
なお、通常、使用時には排水口部５は着脱自在な蓋４１で覆われる。
【００２５】
ここで、図７は、比較例における洗い場床の排水口部５が設けられた部分近傍の断面図を示す。図７は、前述した本実施形態の図５に対応し、同じ構成要素には同一符号を付している。
【００２６】
この図７に示す比較例では、表面材２における排水口部５側の端部４４と、排水口部５の立ち面７の上端７ａとの水平方向位置を一致させている。この場合、溝部１２の下流端１２ａにて水は分子間力により引き合って凝集し表面材２上にとどまろうとする傾向が強くなり、溝部１２内から排水口部５へと水が流下しづらくなる。このため、表面材２上における排水口部５周りに残水（水溜まり）が発生しやすくなる。
【００２７】
これに対して、本実施形態では、前述したように表面材２の排水口部５側の端部１４を、排水口部５の立ち面７の上端７ａに対して、排水口部５から離れる側に位置をずらした。これにより、溝部１２の下流端１２ａ（図５参照）に流れてきた水は、表面材２上だけでなく、これとは異なる材質の表面上（本実施形態では例えばコーキング剤３２表面上）にもまたがって存在しやすくなる。図７に示される比較例では、表面材２の端部と立ち面７とが略直角となっているが、図５に示される本発明実施形態では、平面視で立ち面７と表面材２の端部との間にコーキング部３１がある。表面材２は薄いシートであるため、表面材２の端部に流れてきた水はコーキング部３１にもまたがる。コーキング部３１は液剤を固化させたものであるため、表面材２の端部のように直角状にはならず、普通は滑らかな形状で固まる。そのため、立ち面７に対して緩やかに繋がり排水性が上がる。
【００２８】
また、本実施形態では、表面材２の排水口部５側の端部１４は、排水口部５に向かって下り傾斜面状に形成されている。このことによって、溝部１２の下流端１２ａから排水口部５へと水をより流下させやすくなり、排水口部５周りの排水性をさらに高めることができる。
【００２９】
さらに、コーキング部３１（ここに充填されたコーキング剤３２）の表面も、表面材２の排水口部５側の端部１４の傾斜面と連続するように傾斜面状に形成されていることで、表面材２の端部１４から排水口部５まで連続した傾斜面となり、更に排水口部５周りの排水性を高めることができる。
【００３０】
なお、表面材２の端部１４やコーキング部３１（コーキング剤３２）の表面は傾斜面状にすることに限らず、曲面状に形成しても、傾斜面状に形成したのと同様に溝部１２の下流端１２ａから排水口部５への水の流下を促進させることができ、排水口部５周りの排水性を高めることができる。
【００３１】
また、図６に示すように、表面材２の排水口部５側の端部２４は溝部１２底面に対して略垂直であっても、表面材２の端部２４を、排水口部５の立ち面７の上端７ａに対して、排水口部５から離れる側に位置をずらしたことで、溝部１２の下流端１２ａに流れてきた水は、表面材２上だけでなく、これとは異なる材質の表面上（本実施形態では例えばコーキング剤３２表面上）にもまたがって存在しやすくなる。図７に示される比較例では、表面材２の端部と立ち面７とが略直角となっているが、図６に示される本発明実施形態では、平面視で立ち面７と表面材２の端部との間にコーキング部３１がある。表面材２は薄いシートであるため、表面材２の端部に流れてきた水はコーキング部３１にもまたがる。コーキング部３１は液剤を固化させたものであるため、表面材２の端部のように直角状にはならず、普通は滑らかな形状で固まる。そのため、立ち面７に対して緩やかに繋がり排水性が上がる。
さらに、図６に示す構造では、表面材２の端部２４とコーキング部３１との間に段差があることも、水の凝集力を弱めることに寄与し、水を排水口部５に流下させやすくする。
【００３２】
また、図３に示すように、表面材２に形成された溝部１２と連続する切り欠き溝２１をコーキング部３１に形成することによっても、溝部１２から排水口部５への水の流下を促進させることができ、排水口部５周りの排水性を高めることができる。もちろん、切り欠き溝２１は、排水口部５の立ち面７にまで連続して形成してもよい。
【００３３】
なお、洗い場床表面上に排水方向の異なる複数の勾配面を形成した場合、洗い場床表面上の水は、各勾配面の境界で谷状に形成された稜線に集まりやすく、大部分の水はその稜線またはその近傍を流れて排水口部５に至る。したがって、排水口部５へと延びる複数の溝部１２のすべてについてその下流端部に上記切り欠き溝２１を形成しなくても、稜線の下流端部だけに上記切り欠き溝２１を形成しただけでも、排水口部５周辺の残水（水溜まり）抑制には十分効果が得られる。
【００３４】
また、複数の溝部１２は互いに連続した排水路網として形成されているため、下流端が上記切り欠き溝２１に直接連続していなくても、その切り欠き溝２１の近くに形成された溝部１２下流部の水は上記排水路網を通じて切り欠き溝２１に流れ込むことができる。これにより、切り欠き溝２１に直接連続していない溝部１２下流側に残る水を極少量にすることができ、この残水が少量であれば自然乾燥で翌日までには十分乾く。
【００３５】
以上、具体例を参照しつつ本発明の実施形態について説明した。しかし、本発明は、それらに限定されるものではなく、本発明の技術的思想に基づいて種々の変形が可能である。
【００３６】
前述した実施形態では、基材１と表面材２との２層の積層構造を説明したが、例えばウレタン等の発泡体からなり弾性変形可能なクッション層を基材１と表面材２との間に介在させて、洗い場床にクッション性を付与するような構造としてもよい。
【図面の簡単な説明】
【００３７】
【図１】本発明の実施形態に係る洗い場床の模式斜視図。
【図２】同洗い場床における表面材の表面の一部分の拡大斜視図。
【図３】同洗い場床における排水口部が形成された部分の拡大斜視図。
【図４】図３におけるＡ−Ａ断面図。
【図５】図３におけるＢ−Ｂ断面図。
【図６】本発明の他の実施形態に係る洗い場床における排水口部が形成された部分の断面図。
【図７】比較例における洗い場床の排水口部が形成された部分の断面図。
【符号の説明】
【００３８】
１…基材、２…表面材、５…排水口部、７…立ち面、１１…凸部、１２…溝部、１４…表面材の排水口部側の端部、２１…切り欠き溝、３１…コーキング部、３２…コーキング剤
【図１】
2010063645.tif 000003
【図２】
2010063645.tif 000004
【図３】
2010063645.tif 000005
【図４】
2010063645.tif 000006
【図５】
2010063645.tif 000007
【図６】
2010063645.tif 000008
【図７】
2010063645.tif 000009